(57)【要約】複数のリンクと、複数のリンクを接続させる複数の連結部材とを有する無段変速機用チェーンベルトであって、連結部材の各々は、第１の穴部を有する第１の端部と、第２の穴部を有する第２の端部とを有する。第１の保持ピンが各連結部材の第１穴部内に締結され、第２保持ピンが各連結部材の第２穴部内に締結される。第１及び第２の保持ピンは、複数のリンクを連結部材に保持する。【選択図】図１
2018537630.tif 000002
【特許請求の範囲】
【請求項１】
無段変速機用チェーンベルトであって：
複数のリンクと；
該複数のリンクを互いに接続させる複数の連結部材であって、各連結部材が第１の穴部を有する第１の端部と、第２の穴部を有する第２の端部とを有する、複数の連結部材と；
前記連結部材の各々の前記第１穴部内に締結された第１の保持ピンと；及び
前記連結部材の各々の前記第２穴部内に締結された第２の保持ピンと、を含むチェーンベルト。
【請求項２】
前記第１の保持ピン及び前記第２の保持ピンは、前記第１の穴部及び前記第２の穴部内に溶接によって締結される、請求項１に記載のチェーンベルト。
【請求項３】
前記第１の保持ピン及び前記第２の保持ピンは、前記第１及び第２の穴部内で前記第１及び第２の保持ピンの圧入によって前記第１の穴部及び前記第２の穴部内に締結される、請求項１に記載のチェーンベルト。
【請求項４】
前記第１の穴部及び前記第２の穴部のうち少なくとも１つがＬ字形である、請求項１に記載のチェーンベルト。
【請求項５】
前記第１の保持ピン及び第２の保持ピンは、前記第１及び第２の保持ピンが前記第１及び第２の穴部内に挿入された後に、前記第１の保持ピン及び第２の保持ピンを曲げることによって、前記第１の穴部内及び第２の穴部内に締結される、請求項４に記載のチェーンベルト。
【請求項６】
前記第１の穴部及び前記第２の穴部のうち少なくとも１つは、貫通孔である、請求項１に記載のチェーンベルト。
【請求項７】
前記第１の穴部及び前記第２の穴部のうち少なくとも１つが、段付き穴部である、請求項１に記載のチェーンベルト。
【請求項８】
前記連結部材が、少なくとも１つのロッカーピンを含む、請求項１に記載のチェーンベルト。
【請求項９】
前記連結部材が、ピンを含む、請求項１に記載のチェーンベルト。
【請求項１０】
前記第１の穴部及び前記第２の穴部のうち少なくとも１つが、めくら穴部である、請求項１に記載のチェーンベルト。
【請求項１１】
前記第１の穴部及び前記第２の穴部のうち少なくとも１つが、多段付穴部である、請求項１に記載のチェーンベルト。
【発明の詳細な説明】
【技術分野】
【０００１】
本発明は、無端ループ動力伝達要素の分野に関する。より詳細には、本発明は、無段変速機（ＣＶＴ）用チェーンベルトにおけるチェーンピン保持に関する。
【背景技術】
【０００２】
無段変速機（ＣＶＴ）には、１つのチェーンベルトと、該チェーンベルトによって接続された２つのプーリ（通常は「シーブ」と呼ばれる）を使用しているものがある。各シーブは、傾斜した内側面を有する２つの半部を有し、該シーブの半部間の距離を変化させることができる。シーブの内側距離を変更すると、シーブの傾斜内側表面に接触するチェーンベルト上の負荷部材（ストラット）を、回転軸から半径方向内側または外側に動かすことによって、シーブの有効直径が異なってくる。シーブが反対方向に伸張または収縮することにより、チェーンベルトの荷重部材がシーブのそれぞれの傾斜した内側表面に接触する位置を変化させることにより、変速比（駆動シーブと従動シーブの回転速度の比）が変更される。
【０００３】
無段変速機用チェーンベルトは、ピンまたはストラットを介して互いに接続された開孔付き縦リンクを含む。球形の金属球、金属ビーズ、半球状の金属要素、円筒形の金属要素、及び正方形の金属ブロックなどの保持要素は、該ピンまたは該ストラットの表面端部に溶接され、ストラットの抜け落ちを防止するために若しくは位置ずれしないようにリンクを固定するために使用される。ストラットの表面端部の溶接された要素は、溶接部のばらつきに起因してチェーンの取り扱い中に容易に破損する可能性がある。
【発明の概要】
【０００４】
複数のリンクと、該複数のリンクを互いに接続させる複数の連結部材とを有する無段変速機用チェーンベルト。当該連結部材の各々は、第１の穴部を有する第１の端部と、第２の穴部を有する第２の端部とを有する。第１の保持ピンが当該連結部材の各々の該第１穴部内に締結され、第２の保持ピンが当該連結部材の各々の該第２の穴部内に締結される。当該第１及び第２の保持ピンは、当該複数のリンクを連結部材上に保持する。
【図面の簡単な説明】
【０００５】
【図１】本発明の一実施形態のチェーンベルトの斜視図を示す。
【図２】本発明の一実施形態のチェーンベルトの側面図を示す。
【図３】本発明の一実施形態の図２のチェーンベルトの線３-３に沿った断面を示す。
【図４】代替実施形態の連結部材の保持ピン及び関連穴部を備えた図２のチェーンベルトの線３-３に沿った断面図を示す。
【図５】別の代替実施形態の連結部材の保持ピン及び関連穴部を備えた図２のチェーンベルトの線３-３に沿った断面図を示す。
【図６】本発明の別の実施形態のチェーンベルトの斜視図を示す。
【図７】本発明の別の実施形態のチェーンベルトの側面図を示す。
【図８】本発明の別の実施形態の図７のチェーンベルトの線８-８に沿った断面図を示す。
【図９】本発明の別の実施形態のチェーンベルトの上面図を示す。
【発明を実施するための形態】
【０００６】
図１〜図５は、無段変速機用チェーンベルトを示す。チェーンベルト３は、リンク４と５の交互の集合を有する。リンク４〜５の各々は、少なくとも１つの開孔８を有し、好ましくは１組の開孔を有する。リンク４〜５の集合は、ＣＶＴのための負荷部材またはストラットとして機能する連結部材９を介して一緒に連結される。リンクの数は、本発明の範囲内で図に示されるリンクと異なってもよいことに留意されたい。
【０００７】
連結部材９は、第１の端部９ａと第２の端部９ｂとを有し、リンク４〜５の交互集合が該第１の端部９ａと該第２の端部９ｂ間の連結部材９上にねじ込まれている。連結部材９はまた、第１の端部９ａに第１の穴部１０を、第２の端部９ｂに第２の穴部１１を含み、それぞれが保持部材１２を受け入れる。該保持部材１２は、リンク４〜５の集合が連結部材９からの抜け落ち及び位置ずれを防止する。連結部材９の第１の端部９ａにおける穴部１０及び第２の端部９ｂにおける穴部１１の位置は、図に示す位置とは異なっていてもよく、リンク４〜５の接続された集合の幅Ｗによって決まる。
【０００８】
図３に示すように、連結部材９の穴部１０、１１の各々は、ピンなどの保持部材１２を受け入れることができる。該ピン１２は、穴部１０、１１内に溶接されてもよい。あるいは、穴部１０、１１は、ピン１２よりわずかに小さいかまたは略同じサイズに設定してもよく、これによってピン１２は溶接しないでいったん挿入される（圧入）と穴部内に確実に取り付けられる。
【０００９】
ピン１２は、長方形、正方形、円形または形状の組み合わせであってもよい。穴部１０、１１は、円形、正方形、長方形または形状の組み合わせであってもよい。穴部１０、１１は、めくら穴、貫通穴、段付き穴または多段付き穴であってもよい。
【００１０】
図４に示されているような代替実施形態では、連結部材９の穴部２０、２１は、段付き、または多段付きになっている。ピン２２は、頭部２２ａと尾部２２ｂとを有して整形されてもよく、きのこ形に整形してもよい。該穴部２０、２１は、該ピン２２の該頭部２２ａを受け入れるように整形してよいが、頭部２２ａを穴部２０、２１から取り外されるようにしてはならなく、ピン２２を穴部２０、２１に本質的にリベット締めする。
【００１１】
別の実施形態では、連結部材９の穴部３０、３１はＬ字形３１、３２にして、ピン３０を圧入または滑りばめ可能にして、次いで、該ピン３０の一部３３がＬ字形穴部３１、３２内に取り込まれ、かつ図５に示すように取り外すことができないように曲げ可能にしてよい。
【００１２】
連結部材９は、図１〜図５に示すような単一の接続ピンであってもよく、あるいは図６〜図９に示すように、接合ピンとロッカーピンからなる接続ピンであってもよい。
【００１３】
図６〜図９を参照すると、チェーンベルト３はリンク４と５の交互集合を有する。リンク４〜５の各々は少なくとも１つの開孔８を有する。リンク４〜５の該集合はＣＶＴのための負荷部材またはストラットとして機能する連結部材４９を介して互いに連結される。該連結部材４９は、接合ピン４１とロッカーピン４２とを含む。該接合ピン４１とロッカーピン４２はそれぞれ、第１の端部４１ａ、４２ａと第２の端部４１ｂ、４２ｂとを有する。リンク４〜５の交互集合は、該接合ピン４１とロッカーピン４２の該第１の端部４１ａ、４２ａと該第２の端部４１ｂ、４２ｂとの間の連結部材４９にねじ込まれる。接合ピン４１及びロッカーピン４２は、それぞれ、保持部材５３を受け入れるために第１の端部４１ａ、４２ａに第１の穴部５０及び第２の端部４１ｂ、４２ｂに第２の穴部５１を含む。該保持部材５３は、リンク４〜５の集合が連結部材４９からの抜け落ち及び位置ずれを防止する。連結部材４９の第１の端部４１ａ、４２ａ及び第２の端部４１ｂ、４２ｂにおける穴部５０、５１の位置は、図に示される位置と異なっていてもよく、リンク４〜５の接続された集合の幅Ｗに依存する。さらに、穴部５０、５１は、図３〜図５に示すように整形してもよい。同様に、関連保持部材５３はまた、図３〜５に示すように整形してもよい。
【００１４】
リンク及び連結部材は汎用的に示されており、任意の設計のリンクまたは任意の方式の連結部材も本発明の範囲内で使用できることに留意されたい。また、リンクの数は、本発明の範囲内で図に示されるリンクとは異なってもよいことにも留意されたい。
【００１５】
図面では、連結部材の第１の端部及び第２の端部の両方の穴部が同じものとして示されていたが、上述の及び図３〜５に開示された整形穴部及び関連ピンの任意の組み合わせを使用してもよいことにも留意されたい。
【００１６】
したがって、本明細書に記載された本発明の実施形態は、本発明の原理の適用を単に例示するものであることを理解されたい。本明細書において例示された実施形態の詳細を参照することは、特許請求の範囲を限定することを意図するものではなく、それ自体が本発明に必須であるとみなされる特徴を再び引用するものである。
【図１】
2018537630.tif 000003
【図２】
2018537630.tif 000004
【図３】
2018537630.tif 000005
【図４】
2018537630.tif 000006
【図５】
2018537630.tif 000007
【図６】
2018537630.tif 000008
【図７】
2018537630.tif 000009
【図８】
2018537630.tif 000010
【図９】
2018537630.tif 000011
【国際調査報告】
2018537630.tif 000012
2018537630.tif 000013